(57)【特許請求の範囲】
【請求項１】
大気中に飛散する塩分を捕獲する塩分捕獲体と、
前記塩分捕獲体を収容した防雨器具と、を備え、
前記防雨器具が、
裁頭円錐面状に形成され、径方向外方に向けて下向きに傾斜し、上下に間隔を置いて積み上げられた複数の防雨板と、
前記複数の防雨板のうち最上段の防雨板の上部開口を閉塞する蓋部と、
前記複数の防雨板の上に設けられた天板と、
前記複数の防雨板の下に設けられた底板と、
上下に延在し、前前記複数の防雨板を上下に貫通して前記複数の防雨板に固定され、前記天板及び前記底板に連結された支柱と、
前記蓋部を前記天板に連結したヒンジと、を有し、
前記塩分捕獲体が前記複数の防雨板の内側に配され、
前記天板には、前記最上段の防雨板の上部開口に通じる開口が形成され、前記蓋部が前記ヒンジにより前記最上段の防雨板の上部開口及び前記天板の開口を開閉する飛散塩分捕獲装置。
【請求項２】
前記複数の防雨板の隣り同士のうち上側の防雨板の下端と下側の防雨板の上端が上下方向で揃っている請求項１に記載の飛散塩分捕獲装置。
【請求項３】
前記複数の防雨板の隣り同士のうち上側の防雨板の下端が下側の防雨板の上端よりも上側に位置している請求項１に記載の飛散塩分捕獲装置。
【請求項４】
前記蓋部が前記最上段の防雨板の上部開口を開閉可能に設けられている請求項１から３の何れか一項に記載の飛散塩分捕獲装置。
【請求項５】
前記塩分捕獲体が、
筒状に形成されているとともに、立てられた状態で前記複数の防雨板の内側に配されているホルダと、
前記ホルダに巻き付けられて筒状に形成され、気中塩分を捕獲可能な素材と、を有する請求項１から４の何れか一項に記載の飛散塩分捕獲装置。
【請求項６】
前記複数の防雨板と前記素材が同軸状に配されている請求項５に記載の飛散塩分捕獲装置。
【請求項７】
前記ホルダには内側から外側に通じた複数の穴が形成されている請求項５又は６に記載の飛散塩分捕獲装置。
【請求項８】
裁頭円錐面状に形成され、径方向外方に向けて下向きに傾斜し、上下に間隔を置いて積み上げられた複数の防雨板と、
前記複数の防雨板のうち最上段の防雨板の上部開口を閉塞する蓋部と、
前記複数の防雨板の上に設けられた天板と、
前記複数の防雨板の下に設けられた底板と、
上下に延在し、前前記複数の防雨板を上下に貫通して前記複数の防雨板に固定され、前記天板及び前記底板に連結された支柱と、
前記蓋部を前記天板に連結したヒンジと、を備え、
前記天板には、前記最上段の防雨板の上部開口に通じる開口が形成され、前記蓋部が前記ヒンジにより前記最上段の防雨板の上部開口及び前記天板の開口を開閉する防雨器具。
【請求項９】
前記複数の防雨板の隣り同士のうち上側の防雨板の下端と下側の防雨板の上端が上下方向で揃っている請求項８に記載の防雨器具。
【請求項１０】
前記複数の防雨板の隣り同士のうち上側の防雨板の下端が下側の防雨板の上端よりも上側に位置している請求項８に記載の防雨器具。
【発明の詳細な説明】
【技術分野】
【０００１】
本発明は、防雨器具に関するとともに、その防雨器具を備える飛散塩分捕獲装置に関する。
【背景技術】
【０００２】
送電系統の絶縁碍子や鉄塔等の海塩粒子による塩害の予測を行うために、大気中に飛散している塩分の量（以下、単位体積あたりに含まれる塩分を気中塩分密度といい、これに風速を乗じたものを飛散塩分量という。）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。また、特許文献１に記載の海塩粒子（気中塩分）の捕捉分析方法は、海塩粒子よりも目が細かいフィルタを通して大気を吸引することにより、海塩粒子をフィルタで捕捉するというものである。特許文献２に記載の飛散塩分捕獲装置は、風により上昇気流を発生させてその上昇気流中の塩分を捕獲する機構が円錐台形状のルーフの下に配置されているというものである。特許文献３に記載の飛散塩分捕獲装置は、屋根材の下に筐体が設けられ、その筐体の側面には複数の窓が異なる向きに設けられ、これら窓に塩分捕集布が張設されることによって多方向の風の飛散塩分の捕獲に対応できるようにしたものである。
【先行技術文献】
【特許文献】
【０００３】
【特許文献１】特開２０１０−１１２７１９号公報
【特許文献２】特許第５６７７５９５号公報
【特許文献３】特開２０１５−０２１７９６号公報
【発明の概要】
【発明が解決しようとする課題】
【０００４】
ところで、上記ドライガーゼ法では、降雨の際に、ガーゼに付着した塩分が雨水により離脱してしまうので、ガーゼを百葉箱内に設置する必要がある。通常、百葉箱は直方体状に設けられており、百葉箱の四方の側面にはルーバーが設けられている。このような百葉箱の場合、百葉箱を吹き抜ける風が異方的になってしまう。つまり、百葉箱の側面に対して垂直な方向から風が吹き付ける場合と、側面に対して斜めな方向から風が吹き付けた場合とでは、風向に対するルーバーの角度が異なるので、百葉箱内の風の流れの状態が異なる。そのため、ガーゼに付着する塩分の量やその変化量が風向きにより異なってしまう。【０００５】
そこで、本発明は、上記事情に鑑みてなされたものであり、百葉箱等の防雨器具を吹き抜ける風の流れの状態が風向きにかかわらず同じようにすることである。
【課題を解決するための手段】
【０００６】
本発明に係る飛散塩分捕獲装置は、大気中に飛散する塩分を捕獲する塩分捕獲体と、
前記塩分捕獲体を収容した防雨器具と、を備え、前記防雨器具が、裁頭円錐面状に形成され、径方向外方に向けて下向きに傾斜し、上下に間隔を置いて積み上げられた複数の防雨板と、前記複数の防雨板のうち最上段の防雨板の上部開口を閉塞する蓋部と、前記複数の防雨板の上に設けられた天板と、前記複数の防雨板の下に設けられた底板と、上下に延在し、前前記複数の防雨板を上下に貫通して前記複数の防雨板に固定され、前記天板及び前記底板に連結された支柱と、前記蓋部を前記天板に連結したヒンジと、を有し、前記塩分捕獲体が前記複数の防雨板の内側に配され、前記天板には、前記最上段の防雨板の上部開口に通じる開口が形成され、前記蓋部が前記ヒンジにより前記最上段の防雨板の上部開口及び前記天板の開口を開閉する。
【０００７】
本発明に係る防雨器具は、裁頭円錐面状に形成され、径方向外方に向けて下向きに傾斜し、上下に間隔を置いて積み上げられた複数の防雨板と、前記複数の防雨板のうち最上段の防雨板の上部開口を閉塞する蓋部と、前記複数の防雨板の上に設けられた天板と、前記複数の防雨板の下に設けられた底板と、上下に延在し、前前記複数の防雨板を上下に貫通して前記複数の防雨板に固定され、前記天板及び前記底板に連結された支柱と、前記蓋部を前記天板に連結したヒンジと、を備え、前記天板には、前記最上段の防雨板の上部開口に通じる開口が形成され、前記蓋部が前記ヒンジにより前記最上段の防雨板の上部開口及び前記天板の開口を開閉する。
【発明の効果】
【０００８】
本発明によれば、防雨器具を吹き抜ける風の流れの状態が風向きにかかわらず同じようになる。そのため、風向きにかかわらず、塩分が塩分捕獲体に捕獲される。
【図面の簡単な説明】
【０００９】
【図１】飛散塩分捕獲装置を示す正面図である。
【図２】飛散塩分捕獲装置を示す平面図である。
【図３】飛散塩分捕捉装置を示す縦断面図である。
【図４】飛散塩分捕獲装置の内部を示す斜視図である。
【発明を実施するための形態】
【００１０】
以下、図面を参照して、本発明の実施形態について説明する。但し、以下に述べる実施形態には、本発明を実施するために技術的に好ましい種々の限定が付されているので、本発明の範囲を以下の実施形態及び図示例に限定するものではない。
【００１１】
図１は、飛散塩分捕獲装置１の正面図である。図２は、飛散塩分捕獲装置１の平面図である。図３は、図２に示すIII−IIIに沿った断面を矢印方向に見て示した断面図である。図４は、飛散塩分捕獲装置１の内部を示す斜視図である。
【００１２】
飛散塩分捕獲装置１は、防雨器具１０と、防雨器具１０に収容された塩分捕獲体２０と、を備える。そして、防雨器具１０は、天板１１、底板１２、蓋部１３、複数の支柱１４、複数の防雨板１５、ヒンジ１６及び保持具３０を備える。
【００１３】
天板１１は上又は下から見てリング状に形作られた板材であり、天板１１の中央部に円形状の開口１１ａが形成されている。底板１２も開口１２ａを有したリング状の板材である。
【００１４】
底板１２上には、複数の支柱１４が周方向に等間隔で立てられた状態で設けられている。それら支柱１４が底板１２と天板１１との間を上下に延在し、支柱１４の下端が底板１２に連結され、支柱１４の上端が天板１１に連結され、天板１１と底板１２の間隔が支柱１４によって保たれている。
【００１５】
天板１１上に蓋部１３が設けられ、天板１１の開口１１ａが蓋部１３によって閉塞されている。この蓋部１３は、天板１１の開口１１ａを開閉可能なように、ヒンジ１６によって天板１１に連結されている。なお、蓋部１３は、天板１１の開口１１ａを開閉可能なように、天板１１に対して着脱可能であってもよい。
【００１６】
防雨板１５は、裁頭円錐面状に形作られているとともに、径方向外方に向けて下向きに傾斜する。従って、防雨板１５の内側の面と外側の面は何れも裁頭円錐面であり、防雨板１５の上端及び下端が開口している。なお、径方向（水平方向）を基準とした防雨板１５の傾斜角は４５°未満であることが好ましい。
【００１７】
これら防雨板１５は、上下に間隔を置いて、天板１１と底板１２との間に積み上げられている。何れの防雨板１５も上下方向に延びた中心軸が一致し、これら防雨板１５が同軸状に配されている。支柱１４が防雨板１５を上下に貫通した状態で、防雨板１５が支柱１４に例えば接着、溶着又は溶接により固定されている。これにより、隣り合う防雨板１５の間隔が支柱１４によって保たれている。また、支柱１４によって防雨板１５の剛性が向上し、防雨板１５の変形を抑えることができる。
【００１８】
上下に隣り合う防雨板１５は、上下方向でオーバーラップしていない。つまり、上下に隣り合う防雨板１５のうち上側の防雨板１５の下端と下側の防雨板１５の上端とは、上下方向で位置が揃っている。なお、上下に隣り合う防雨板１５のうち上側の防雨板１５の下端が下側の防雨板１５の上端よりも上側に位置しており、上側の防雨板１５の下端から下側の防雨板１５の上端までの上下方向の間隔が短くなっていてもよい。
【００１９】
最上段の防雨板１５の上端が天板１１の下面に接合されている。そして、最上段の防雨板１５の上部開口と天板１１の開口１１ａが同心状に配され、最上段の防雨板１５の上部開口が天板１１の開口１１ａに連通する。
【００２０】
以上のように天板１１、底板１２、複数の支柱１４及び複数の防雨板１５が組み合わせられた組立品は円筒状のルーバーである。
【００２１】
これら防雨板１５の内側に塩分捕獲体２０が配置され、その塩分捕獲体２０が保持具３０によってこれら防雨板１５の内側に着脱可能に保持されている。
塩分捕獲体２０は、ガーゼ２１、ガーゼホルダ２２、エンドプレート２３、エンドプレート２４、シャフト２５、シャフト２６及び受け皿２７を備える。
【００２２】
ガーゼホルダ２２は円筒状に形作られている。ガーゼホルダ２２には、ガーゼホルダ２２の内外に通じた多数の穴が点在している。例えば、ガーゼホルダ２２は、円筒状に丸められた網材であったり、円筒状に形成された多孔板であったりする。
【００２３】
このガーゼホルダ２２にはガーゼ２１が巻き付けられている。ガーゼ２１は、大気中に飛散する塩分を捕獲可能な通気性素材である。ガーゼ２１には、非導電性のインクにより方位が記されている。
【００２４】
ガーゼホルダ２２の上端にエンドプレート２３が取り付けられ、ガーゼホルダ２２の下端にエンドプレート２４が取り付けられている。エンドプレート２３の上端面にはシャフト２５が設けられ、エンドプレート２４の下端面にもシャフト２６が設けられている。これらシャフト２５，２６は、上下に延在するとともに、同軸状に配されている。また、シャフト２５，２６とガーゼホルダ２２とガーゼ２１も同軸状に配されている。
【００２５】
エンドプレート２４の下方には、受け皿２７が配されている。受け皿２７は円盤状に設けられ、受け皿２７の上面の外縁には凸縁２７ａが形成されている。シャフト２６が受け皿２７の中心を上下に貫通するようにして受け皿２７に結合されている。この受け皿２７はエンドプレート２４よりも大径であり、ガーゼ２１から落ちた塩分が溜まるようにエンドプレート２４の近傍に配されている。
【００２６】
以上に構成された塩分捕獲体２０は、シャフト２５，２６が防雨板１５の中心軸に重なるようにして、保持具３０によって防雨器具１０に保持されている。保持具３０は、支持板３１、装着板３２及び固定バンド３３を備える。
【００２７】
支持板３１は、帯板状に形成されている。この支持板３１は、底板１２の直径方向に沿って開口１２ａを跨ぐようにして底板１２の上面に取り付けられている。支持板３１の上面の中央には軸受凹部３１ａが形成されており、その軸受凹部３１ａが底板１２の中心に配置されている。塩分捕獲体２０のシャフト２６の下端が軸受凹部３１ａに嵌め込まれた状態で、そのシャフト２６が支持板３１上に立設されている。
【００２８】
装着板３２は、帯板状に形成されている。この装着板３２は、天板１１の直径方向に沿って開口１１ａを跨ぐようにして天板１１の下面に取り付けられている。装着板３２の長手方向中央部には、幅方向一端から幅方向中央まで延びた切欠き３２ａが形成されている。シャフト２５が切欠き３２ａに挿入されている。そして、シャフト２５は、固定バンド３３によって切欠き３２ａの端に突き当てられるようにして、装着板３２に締め付けられている。固定バンド３３は無端状ゴムであり、固定バンド３３が装着板３２の上側及び下側においてシャフト２５に掛けられている。
【００２９】
シャフト２５の下端が軸受凹部３１ａに嵌め込まれ、シャフト２６が切欠き３２ａの端に突き当てられることによって、シャフト２５，２６、ガーゼホルダ２２及びガーゼ２１の中心軸が防雨板１５に中心軸に重なり、シャフト２５，２６、ガーゼホルダ２２、ガーゼ２１及び防雨板１５が同軸状に配されている。
【００３０】
以上のように構成された飛散塩分捕獲装置１は、シャフト２５，２６が鉛直方向に沿うように且つ、ガーゼ２１に記された方位が実際の方位に合致するように、屋外に設置される。
隣り合う防雨板１５の間には隙間が存在するので、風がそれら隙間を通って防雨板１５の外側から内側を経由して外側へ吹き抜ける。特に、上下に隣り合う防雨板１５が上下方向でオーバーラップしていないので、風及び飛散塩分が防雨板１５の間を通過しすい。また、防雨板１５の傾斜角が４５°未満のように緩やかであれば、風及び飛散塩分が防雨板１５の間を通過しすい。防雨板１５の外側から内側を通って外側へ吹き抜ける風の風速や気中塩分密度に応じた量の塩分がガーゼ２１に付着する。
また、防雨板１５が裁頭円錐面状に形成されているので、防雨板１５の外側から内側を通って外側へ吹き抜ける風が等方的になり、風向きが変わっても風向きに対する防雨板１５の角度が常に等しい。つまり、防雨板１５を上から見た場合、どのような風向きであっても、風が防雨板１５の外周縁に対してほぼ垂直に当たり、防雨板１５の外側から内側を通って外側へ吹き抜ける風は径方向に沿って流れる。よって、風向きにかかわらず風が防雨板１５の隙間を確実に吹き抜ける上、防雨板１５の外側から内側を通って外側へ吹き抜ける風の流れの状態が風向きにかかわらず同じようになる。そして、ガーゼ２１が円筒状に形成されているので、飛散塩分捕獲装置１に飛来してきた塩分が飛来の向きにかかわらずガーゼ２１に付着する。そのため、風向き毎に捕捉塩分量を測ることができる。
【００３１】
ガーゼ２１と防雨板１５が同軸状に配置されているので、防雨器具１０を吹き抜ける風の向きが変わっても、ガーゼ２１に対する風のあたり方が変わらない。
【００３２】
また、ガーゼホルダ２２に多数の穴が形成されているので、ガーゼ２１がガーゼホルダ２２に巻き付けられていても、ガーゼ２１の通気性が確保される。そのため、防雨板１５の内側を吹き抜ける風はガーゼ２１及びガーゼホルダ２２を通過し、塩分がガーゼ２１に付着しやすい。
【００３３】
降雨の場合、雨水が防雨板１５によって遮られる。上下に隣り合う防雨板１５が上下方向でオーバーラップしていなくても、上側の防雨板１５の下端の上下方向の位置が下側の防雨板１５の上端の上下方向の位置に揃っている場合には、風により飛来する雨水が上側の防雨板１５と下側の防雨板１５の隙間に入り込みにくい。また、防雨板１５が径方向外方に向けて下向きに傾斜するから、防雨板１５の外面に付着した雨水が防雨板１５の外側へ流れ落ち、雨水の浸入を抑えることができる。よって、ガーゼ２１に付着した塩分が雨により洗い流されるのを防止することができる。
【００３４】
ガーゼ２１から塩分が離脱しても、その塩分が受け皿２７に受け止められる。雨水が防雨板１５の内側に浸入しても、ガーゼ２１の付着した雨水とともに塩分が受け皿２７に受け止められる。よって、ガーゼ２１から受け皿２７に落ちた塩分量を加算してガーゼ２１の捕獲塩分量を測定することができ、飛散塩分量の測定の精度を高めることができる。
【００３５】
続いて、塩分捕獲体２０の取り外し方法について説明する。
まず、蓋部１３を開ける。次に、固定バンド３３をシャフト２５及び装着板３２から外す。次に、塩分捕獲体２０を傾けることによってシャフト２５を切欠き３２ａから外す。そして、シャフト２６の下端を支持板３１の軸受凹部３１ａから上へ引き抜いて、塩分捕獲体２０を天板１１の開口１１ａの上へ引き上げる。次に、蓋部１３を閉じる。
なお、塩分捕獲体２０を底板１２の開口１２ａから下降することによって、防雨板１５の外に出してもよい。
【００３６】
続いて、塩分捕獲体２０の取り付け方法について説明する。
まず、蓋部１３を開ける。次に、塩分捕獲体２０を天板１１の上から開口１１ａに挿入して、シャフト２６の下端を支持板３１の軸受凹部３１ａに嵌め込む。次に、固定バンド３３を装着板３２の下側でシャフト２５に掛けて、シャフト２５を切欠き３２ａに差し込む。次に、固定バンド３３を装着板３２の上側でシャフト２５に掛けて、固定バンド３３の弾性力によってシャフト２５を切欠き３２ａの端に突き当てて、固定バンド３３によりシャフト２５を装着板３２に締め付ける。次に、蓋部１３を閉じる。
【００３７】
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に述べる変更点は可能な限り組み合わせて適用してもよい。
【００３８】
（１）  上記実施形態では、ガーゼホルダ２２が円筒状に形成されていたが、ガーゼホルダ２２が角筒状等の他の筒形状に形成されていてもよい。
【００３９】
（２）  上記実施形態では、ガーゼホルダ２２が円筒状に形成されていて、ガーゼ２１がガーゼホルダ２２に巻き付けられていた。それに対して、ガーゼホルダ２２が枠状に形成され、その枠の内側にガーゼ２１が張った状態に設けられていてもよい。この場合、ガーゼホルダ２２とガーゼ２１の組体が複数上下に配列された状態でシャフト２５に取り付けられ、これらガーゼ２１がシャフト２５に対して平行であり、これらガーゼ２１の法線方向がガーゼ２１ごとに異なっている。
【００４０】
（３）  上記実施形態では、底板１２に開口１２ａが形成されていたが、底板１２に開口が形成されていなくてもよい。
【００４１】
（４）  上記実施形態では、天板１１に開口１１ａが形成されていたが、天板１１に開口が形成されていなくてもよい。この場合、天板１１が最上段の防雨板１５の上部開口を閉塞する蓋部となり、上述のような開閉可能な蓋部１３が設けられていない。また、底板１２の開口１２ａを通じて塩分捕獲体２０の出し入れをする。
【００４２】
（５）  塩分捕獲体２０の代わりに、特開２０１５−０２１７９６号公報に記載された塩分捕集器（筐体の内部空間が隔壁によって縦割りされることによって複数のチャンバーが形成され、チャンバー毎に窓が筐体の側面に形成され、その窓がガーゼによって塞がれたもの）が収容されてもよい。
【符号の説明】
【００４３】
１…飛散塩分捕獲装置，  １０…防雨器具，  １１…天板，  １１ａ…開口，  １２…底板，  １３…蓋部，  １４…支柱，  １５…防雨板，  ２０…塩分捕獲体，  ２１…ガーゼ（素材），  ２２…ガーゼホルダ
【要約】
防雨器具を吹き抜ける風の流れの状態が風向きにかかわらず同じようにする。
飛散塩分捕獲装置１は、大気中に飛散する塩分を捕獲する塩分捕獲体２０と、塩分捕獲体を収容した防雨器具１０と、を備える。この防雨器具１０は、裁頭円錐面状に形成され、径方向外方に向けて下向きに傾斜し、上下に間隔を置いて積み上げられた複数の防雨板１５と、これら防雨板１５のうち最上段の防雨板１５の上部開口を閉塞する蓋部１３と、を有し、塩分捕獲体２０がこれら防雨板１５の内側に配されている。【図１】
0006026710.tif 000002
【図２】
0006026710.tif 000003
【図３】
0006026710.tif 000004
【図４】
0006026710.tif 000005